(57)【特許請求の範囲】
【請求項１】
コアネットワーク及び少なくとも１つの通信装置を備える通信システムに使用するためのネットワークノードであって、
少なくとも１つのゲートウェイを識別し、前記通信装置が少なくとも１つの前記識別されたゲートウェイを使用することを規制されることを示す制御情報であって、前記コアネットワークを用いた、前記少なくとも１つの前記通信装置のパケットデータサービスへのアクセスを制御するための制御情報を生成する手段と、
前記生成された制御情報を通信する手段を含む前記少なくとも１つの通信装置と通信する手段と、
を備えるネットワークノード。
【請求項２】
通信事業者決定による規制（operator determined barring）が前記通信装置に対して実施されていたか否かを示す加入データ（subscription data）をホーム加入者サーバから取得する手段
をさらに備える請求項１に記載のネットワークノード。
【請求項３】
前記加入データは、前記通信装置に対して許可されたゲートウェイのリストを含む
請求項２に記載のネットワークノード。
【請求項４】
前記加入データは、前記通信装置に対して規制されたゲートウェイのリストを含む
請求項２又は３に記載のネットワークノード。
【請求項５】
前記少なくとも１つのゲートウェイを識別する前記制御情報は、前記少なくとも１つのゲートウェイに対するアクセスポイント名「APN」及び／又は規制状態情報を含む
請求項１乃至４のいずれか１項に記載のネットワークノード。
【請求項６】
前記少なくとも１つのの通信装置と通信する前記通信する手段は、Non-Access Stratum (NAS)シグナリングプロトコルに応じてフォーマットされた少なくとも１つのメッセージを送信する
請求項１乃至５のいずれか１項に記載のネットワークノード。
【請求項７】
前記少なくとも１つのメッセージは、少なくとも１つの'PDN Connectivity Reject'メッセージ、'Deactivate EPS Bearer Context Request'メッセージ、'Attach Reject'メッセージ、'TAU Reject'メッセージ、'Service Reject'メッセージ、及び、'Detach Request'メッセージを備える
請求項６に記載のネットワークノード。
【請求項８】
前記制御情報は、「ＡＰＮ非許可（APN not allowed）」、「ＯＤＢによるＡＰＮ非許可（APN not allowed due to ODB）」、又は、「通信事業者決定による規制（Operator Determined Barring）」拒絶原因を備える
請求項１乃至７のいずれか１項に記載のネットワークノード。
【請求項９】
前記コアネットワークは、
モビリティ管理エンティティ（Mobility Management Entity （ＭＭＥ））又はサービングGPRSサポートノード（serving GPRS support node （SGSN））エンティティを備える
請求項１乃至８のいずれか１項に記載のネットワークノード。
【請求項１０】
パケットデータサービスに関連する前記少なくとも１つの通信装置による通信を監視する手段をさらに備え、
前記生成する手段は、前記制御情報を生成することができ、
前記通信する手段は、前記監視する手段が前記少なくとも１つの識別されたゲートウェイを用いたパケットデータサービスに関連する前記少なくとも１つの通信装置による通信の試行を示したときに、前記制御情報を前記少なくとも１つの通信装置へ通信する
請求項１乃至９のいずれか１項に記載のネットワークノード。
【請求項１１】
前記通信の試行は、前記少なくとも１つの識別されたゲートウェイを用いた新しいパケットデータサービスへの要求を備え、
前記制御情報は、前記通信の試行の拒絶を含む
請求項１０に記載のネットワークノード。
【請求項１２】
前記通信の試行は、前記少なくとも１つの識別されたゲートウェイを用いた既存のパケットデータサービスに関連する通信を含み、
前記制御情報は、前記少なくとも１つの識別されたゲートウェイを用いた前記既存のパケットデータサービスの終了を含む
請求項１０又は１１に記載のネットワークノード。
【請求項１３】
前記少なくとも１つの識別されたゲートウェイを制御しているネットワークノードに、前記既存のパケットデータサービスを終了するように指示する手段をさらに備える
請求項１２に記載のネットワークノード。
【請求項１４】
コアネットワーク及び通信装置を備える通信システムに使用するための通信装置であって、
前記コアネットワークに配置されるゲートウェイを用いてパケットデータサービスへアクセスする手段と、
前記少なくとも１つのゲートウェイを識別し、前記通信装置が前記少なくとも１つの識別されたゲートウェイを使用することから規制されることを示す制御情報を、コアネットワークエンティティから、受信する手段と、
他のゲートウェイを用いてパケットデータサービスにアクセスする試みが許可される間に、前記アクセスする手段が前記少なくとも１つの識別されたゲートウェイを用いたパケットデータサービスにアクセスする試みが妨げられるように、前記パケットデータサービスにアクセスする手段を、前記受信した制御情報に基づき、設定する手段と、
を備える通信装置。
【請求項１５】
前記制御情報は、前記コアネットワークに配置されるゲートウェイを用いたパケットデータサービスを設定するために、前記コアネットワークエンティティへの要求を送信する前記アクセスする手段に応じて受信される
請求項１４に記載の通信装置。
【請求項１６】
前記制御情報は、前記パケットデータサービスを設定するための前記要求が前記コアネットワークエンティティにより拒絶される場合に、受信される
請求項１５に記載の通信装置。
【請求項１７】
前記制御情報は、前記パケットデータサービスを設定するための前記要求が前記コアネットワークエンティティにより許可される場合に、受信される
請求項１５に記載の通信装置。
【請求項１８】
前記コアネットワークは、ホームネットワーク部及び訪問先ネットワーク部を備え、
前記少なくとも１つの識別されたゲートウェイは、前記訪問先ネットワーク部内に提供される
請求項１４乃至１７のいずれか１項に記載の通信装置。
【請求項１９】
前記コアネットワークは、ホームネットワーク部及び訪問先ネットワーク部を備え、
前記少なくとも１つの他のゲートウェイは、前記ホームネットワーク部内に提供される
請求項１４乃至１８のいずれか１項に記載の通信装置。
【請求項２０】
前記ゲートウェイを識別し、前記コアネットワークエンティティへ、前記制御情報を提供する手段をさらに備える
請求項１４乃至１９のいずれか１項に記載の通信装置。
【請求項２１】
前記少なくとも１つのゲートウェイを識別する前記制御情報は、アクセスポイント名'APN'を備える
請求項１４乃至１９のいずれか１項に記載の通信装置。
【請求項２２】
前記少なくとも１つのゲートウェイを識別する前記制御情報は、前記少なくとも１つのゲートウェイに関するAPNのリスト及び／又は規制状態情報を備える
請求項２１に記載の通信装置。
【請求項２３】
前記APNのリストは、規制されたゲートウェイを備える
請求項２２に記載の通信装置。
【請求項２４】
前記APNのリストは許可されたゲートウェイを備える
請求項２２又は２３に記載の通信装置。
【請求項２５】
前記制御情報を受信する手段は、Non-Access Stratum (NAS)シグナリングプロトコルに応じてフォーマットされた少なくとも１つのメッセージ内の前記制御情報を受信する
請求項１４乃至２４のいずれか１項に記載の通信装置。
【請求項２６】
前記少なくとも１つのメッセージは、少なくとも１つの'PDN Connectivity Reject'メッセージ、'Deactivate EPS Bearer Context Request'メッセージ、'Attach Reject'メッセージ、'TAU Reject'メッセージ、'Service Reject'メッセージ、及び、'Detach Request'メッセージを備える
請求項２５に記載の通信装置。
【請求項２７】
前記制御情報は、「ＡＰＮ非許可（APN not allowed）」、「ＯＤＢによるＡＰＮ非許可（APN not allowed due to ODB）」、又は、「通信事業者決定による規制（Operator Determined Barring）」拒絶原因を備える
請求項１４乃至２６のいずれか１項に記載の通信装置。
【請求項２８】
evolved UMTS terrestrial radio access network 'E-UTRAN'標準、General Packet Radio Service 'GPRS'標準、又は、wideband code division multiple access 'W-CDMA'標準のいずれか１つに応じた移動通信装置である、
請求項１４乃至２７のいずれか１項に記載の通信装置。
【請求項２９】
前記コアネットワークは、モビリティ管理エンティティ（Mobility Management Entity （ＭＭＥ））、又は、サービングGPRSサポートノード（serving GPRS support node （SGSN））エンティティを備える
請求項１４乃至２８のいずれか１項に記載の通信装置。
【請求項３０】
不揮発性メモリ内の前記受信した制御情報、例えば、universal subscriber identity module 'USIM'を格納する手段をさらに備える
請求項１４乃至２９のいずれか１項に記載の通信装置。
【請求項３１】
コアネットワーク及び少なくとも１つの通信装置を備える通信システムに使用するためのネットワークノードであって、
少なくとも１つのゲートウェイを識別し、前記通信装置が少なくとも１つの前記識別されたゲートウェイを使用することを規制されることを示す制御情報であって、前記コアネットワークを用いた、少なくとも１つの前記通信装置のパケットデータサービスへのアクセスを制御するための制御情報を生成し、
前記生成された制御情報を前記少なくとも１つの通信装置へ通信する
コントローラを備えるネットワークノード。
【請求項３２】
通信システムのコアネットワークに配置されたゲートウェイを用いたパケットデータサービスにアクセスするための通信装置であって、
少なくとも１つのゲートウェイを識別し、前記通信装置が前記少なくとも１つの識別されるゲートウェイを使用することから規制されることを示す制御情報を、コアネットワークエンティティから、受信し、
他のゲートウェイを用いてパケットデータサービスにアクセスする試みが許可される間に、前記通信装置が前記少なくとも１つの識別されたゲートウェイを用いたパケットデータサービスにアクセスする試みが妨げられるように、前記パケットデータサービスへのアクセスを設定する
コントローラを備える通信装置。
【請求項３３】
加入したゲートウェイのリスト、及び、通信事業者決定による規制が実施されている少なくとも１つの加入したゲートウェイ'APN'を識別する情報
を備えるホーム加入者サーバ。
【請求項３４】
請求項１から１３及び３１のいずれか１項に記載のネットワークノード、請求項１４から３０及び３２のいずれか１項に記載の通信装置、少なくとも１つのゲートウェイ'APN'、及び、請求項３３に記載のホーム加入者サーバを備える通信システム。
【請求項３５】
コアネットワーク及び少なくとも１つの通信装置を備える通信システム内のネットワークノードにより実行される方法であって、
少なくとも１つのゲートウェイを識別し、前記通信装置が少なくとも１つの前記識別されたゲートウェイを使用することを規制されることを示す制御情報であって、前記コアネットワークを用いた、前記少なくとも１つの前記通信装置のパケットデータサービスへのアクセスを制御するための制御情報を生成し、
前記生成された制御情報を通信することを含む前記少なくとも１つの通信装置と通信する方法。
【請求項３６】
通信システムのコアネットワークに配置されるゲートウェイを用いたパケットデータサービスにアクセスする通信装置により実行される方法であって、
少なくとも１つのゲートウェイを識別し、前記通信装置が前記少なくとも１つの識別されたゲートウェイを用いることから規制されることを示す制御情報を、コアネットワークエンティティから、受信し、
他のゲートウェイを用いてパケットデータサービスにアクセスする試みが許可される間に、前記通信装置が前記少なくとも１つの識別されたゲートウェイを用いたパケットデータサービスにアクセスする試みが妨げられるように、前記パケットデータサービスへのアクセスを設定する方法。
【請求項３７】
コアネットワーク及び少なくとも１つの通信装置を備える通信システム内のネットワークノードに実行させるプログラムであって、
少なくとも１つのゲートウェイを識別し、前記通信装置が少なくとも１つの前記識別されたゲートウェイを使用することを規制されることを示す制御情報であって、前記コアネットワークを用いた、前記少なくとも１つの前記通信装置のパケットデータサービスへのアクセスを制御するための制御情報を生成し、
前記生成された制御情報を通信することを含む前記少なくとも１つの通信装置と通信するプログラム。
【請求項３８】
通信システムのコアネットワークに配置されるゲートウェイを用いたパケットデータサービスにアクセスする通信装置に実行させるプログラムであって、
少なくとも１つのゲートウェイを識別し、前記通信装置が前記少なくとも１つの識別されたゲートウェイを用いることから規制されることを示す制御情報を、コアネットワークエンティティから、受信し、
他のゲートウェイを用いてパケットデータサービスにアクセスする試みが許可される間に、前記通信装置が前記少なくとも１つの識別されたゲートウェイを用いたパケットデータサービスにアクセスする試みが妨げられるように、前記パケットデータサービスへのアクセスを設定するプログラム。
【発明の詳細な説明】
【技術分野】
【０００１】
本発明は、通信システム及びそれらの部品に関する。本発明は、特に、しかし排他的でなく、3rd Generation Partnership Project (3GPP)標準又はそれらと同等もしくは派生物に従って動作する無線通信システム及びそれらのデバイスと関連する。本発明は、特に、しかし排他的でなく、一の通信装置から別のものへの直接通信の管理と関連する。
【背景技術】
【０００２】
３ＧＰＰ標準の最新動向は、EPC (Evolved Packet Core)ネットワーク及びE-UTRAN (Evolved UMTS Terrestrial Radio Access Network)のLong Term Evolution (LTE)として参照される。３ＧＰＰ標準の下、ＮｏｄｅＢ（又はＬＴＥのｅＮＢ）は、移動通信装置がコアネットワークと接続し、他の通信装置又は遠隔サーバと通信する際の基地局である。簡単にするために、本出願は、任意のそのような基地局に言及するために、基地局（base station）という用語を用いるだろう。通信装置は、例えば、携帯電話機（mobile telephones）、スマートフォン、ユーザ装置（user equipment (UE)）、ＰＤＡ（personal digital assistants）、ラップトップ型コンピュータ、ウェブブラウザ等のような移動通信装置であるとよい。３ＧＰＰ標準は、また、非モバイルのユーザ装置と、（一般に）固定装置の一部として実装されるWi-Fiルータ、モデムのようなネットワークとを接続させることができる。簡単にするために、本出願は、説明において携帯電話機に言及するが、説明される技術は、そのようなコアネットワークと接続可能な任意のモバイル又は「非モバイル」装置に実装され得ることは言うまでもない。
【０００３】
ＬＴＥは、また、携帯電話機に、（Institute of Electrical and Electronics Engineers (IEEE) 802.11標準のファミリに基づく）Ｗｉ−Ｆｉ、（IEEE 802.16標準のファミリに基づく）ＷｉＭＡＸ等のような「非３ＧＰＰ」アクセス技術を用いるコアネットワークと接続することを可能にする。サポートされたアクセス技術のリストは、3GPP TS 23.402標準ドキュメントに公開される。
【０００４】
コアネットワーク内のモビリティ管理エンティティ（Mobility Management Entity （ＭＭＥ））は、コアネットワークと携帯電話機の接続を管理する。携帯電話機が基地局を介してＬＴＥネットワークに接続する（attach）場合、ＭＭＥは、携帯電話機とコアネットワーク内のゲートウェイとの間のデフォルトEvolved Packet System (EPS)ベアラを設定する（set up）。ＥＰＳベアラは、ネットワークを介した伝送路を定義し、遠隔サーバ又は他の通信装置と通信する携帯電話機に使用されるために、携帯電話機へＩＰアドレスを割り当てる。ＥＰＳベアラは、また、携帯電話機と関連付けられる契約（subscription）により定義され、ネットワークによる携帯電話機の登録後すぐに、ＭＭＥにより確立され、例えば、サービスの質、データレート、及びフロー制御パラメータのようなデータ伝送特性（data transmission characteristics）の集合を有する。
【０００５】
ＥＰＳベアラは、特定のＥＰＳベアラを有効化し（activate）、修正し（modify）、又は、無効化する（deactivate）必要がある場合に携帯電話機へ信号を送るＭＭＥにより管理される。それ故、携帯電話機と通信ネットワークの間に２つの接続が存在する。すなわち、（ユーザプレーンとしても知られる）確立されたＥＰＳベアラを用いて伝送されるユーザデータについてのものと、（制御プレーンとしても知られる）ＥＰＳベアラそれ自身を管理するためのものである。
【０００６】
いわゆるNon-Access Stratum (NAS)プロトコルは、携帯電話機とＭＭＥの間の制御プレーンの最上位層を形成する。ＮＡＳプロトコルは、携帯電話機とＰＤＮ  ＧＷ（Packet Data Network Gateway）の間のＩＰ接続を確立及び維持するために、携帯電話機のモビリティ（mobility）とセッション管理手続をサポートする。Evolved Packet System (EPS)は、互換性のある携帯電話機との「ready-to-use」ＩＰ接続性と、「always-on」特徴とを提供する。ＮＡＳプロトコルは、例えば、ＥＰＳモビリティ管理（EPS Mobility Management (EMM)）及びＥＰＳセッション管理（EPS Session Management (ESM)）プロトコルを含む。ＥＳＭプロトコルがＥＰＳベアラコンテクストの処理（handling）のための手続を提供する間に、ＥＭＭプロトコルは、E-UTRAN内の携帯電話機のためのＮＡＳセキュリティ及びモビリティ制御を提供する。
【０００７】
携帯電話機は、登録を要求するパケットデータサービス及び／又は他のサービスを受信するために、通信ネットワーク（又は通信システム）に登録する必要がある。この登録は、「network attachment」としても知られ、3GPP TS 23.401標準の５．３．２節により詳細に記述され、その内容は、参照により本明細書に組み込まれる。携帯電話機は、ネットワーク接続中にデフォルトＥＰＳベアラを確立することによりalways-onのＩＰ接続性から恩恵を受けられる。また、接続手続（attach procedure）は、１以上の専用ＥＰＳベアラの確立をもたらす（trigger）ことができる。接続手続中に、携帯電話機は、ネットワークからＩＰアドレスも受信する。
【０００８】
接続手続中に、携帯電話機は、その一意な識別子、例えば、「Mobile Equipment Identity」(IMEI)をＭＭＥへ提供する。ＭＭＥは、取得した識別子を、この携帯電話機を取り扱うホーム加入者サーバ（home subscriber server (HSS)）及びパケットデータゲートウェイ（packet data network gateway (PDN GW or P-GW)）へ渡す。
【０００９】
典型的に、多くのゲートウェイは、通信ネットワークと、携帯電話機がアクセスを許可される公共のインターネットのような外部のコンピュータネットワークとの間に提供される。異なるゲートウェイは、例えば、異なるネットワークへ、及び／又は、異なるサービスへ、及び／又は、ロードバランス目的で、アクセスを提供するために用いられる。異なるゲートウェイは、異なる通信事業者（operator）ネットワーク（PLMNs）にも提供される。各ゲートウェイは、アクセスポイント名（Access Point Name (APN)）としてしばしば言及される、その名称により識別される。ＡＰＮは、他の３ＧＰＰデータアクセスネットワーク、例えば、general packet radio service (GPRS)ネットワーク(2g)、又は、Wideband Code Division Multiple Access (W-CDMA)ネットワーク(3g)に使用される。
【００１０】
外部のネットワークとのパケットデータ接続を確立するために、携帯電話機は、接続を要求する時に使用するＡＰＮが設定されなければならない。通信ネットワークは、作成されるデータ接続の型を判定するために、この識別子を検査する（examine）ことができる。この識別子を用いて、通信ネットワークは、例えば、携帯電話機に割り当てられるＩＰアドレス、使用されるセキュリティ方法、プライベートネットワークへの接続が作成されるか否か等、を判定できる。
【００１１】
より具体的に、ＡＰＮに基づいて、通信ネットワークは、携帯電話機が通信するために試みるパケットデータネットワークを識別する。ＰＤＮそれ自身を識別することに加えて、ＡＰＮは、ＰＤＮにより提供されるサービスの型、例えば、マルチメディアメッセージングサービス（multimedia messaging service (MMS)）、ファイル共有サービス、ソーシャルネットワーキングサービス、ビデオストリーミングサービス等を定義するために使用され得る。
【００１２】
しかしながら、ネットワーク通信事業者（network operator）は、その加入者に対し、パケットデータサービスの規制（barring）を強化できる。そのような規制は、「通信事業者決定による規制（operator determined barring）」(ODB)として言及され、全ＡＰＮの全て、又は、部分集合のいずれかを適用可能とする。ネットワーク通信事業者は、どんな時にも、特定の加入者のためにＨＳＳデータを適切に設定することにより、この特徴を有効化／無効化できる。ＯＤＢの有効化は、進行中の全ての関連のあるサービスの終了と、規制カテゴリに含まれるサービスの以後の要求の規制をもたらす。
【００１３】
例えば、ある加入者達（すなわち、彼らの携帯電話機）は、例えば、ネットワーク通信事業者と彼らとの契約に明記されるように、全てのパケットデータサービスを使用することを完全に規制されてもよい。あるいは、携帯電話機は特定のＡＰＮ（例えば、特定の種類のパケットデータサービスを提供しているＡＰＮ、及び／又は、特定のサービスプロバイダにより運用されるＡＰＮ）のみへのアクセスが許可され、それら以外の全てのＡＰＮへアクセスすることが規制されてもよい。例えば、携帯電話機がそれらのホームネットワーク（HPLMN）から離れてローミングしている間（HPLMN内のAPNの使用がまだ許可され得る間）、携帯電話機は、訪問先ネットワーク（VPLMN）内に設置されたアクセスポイントからパケットデータサービスを要求することを規制されてもよい。
【００１４】
ある特定のＡＰＮ以外の全てのＡＰＮへのアクセスの規制がＨＳＳ内で実施される場合、ＨＳＳは規制されていない特定のＡＰＮのみを「加入ＡＰＮ（契約したＡＰＮ）（subscribed APNs）」として含むようにユーザの契約プロファイル（subscription profile）を更新し、更新契約情報（updated subscription information）をＭＭＥに示す。このことは、ＭＭＥが、各携帯電話機ごとに適切にパケットデータ接続の規制を強化することを可能にする。
【００１５】
特に、ＭＭＥは、携帯電話機からＰＤＮ接続のための要求（例えば、「PDN Connectivity Request」（ＰＤＮ接続要求））を受信する場合、要求されたＡＰＮが、その加入者についての加入ＡＰＮのリストに含まれるか否かを判定する（check）。要求されたＡＰＮが含まれる場合、ＭＭＥはＰＤＮ接続手続を続け、携帯電話機への要求パケットデータサービスを設定する。しかしながら、ＡＰＮがＨＳＳにより提供されたリストに含まれない場合、ＭＭＥは、（例えば、「PDN Connectivity Reject」（PDN接続拒絶）応答を送信することにより）ＰＤＮ接続要求を拒絶し、携帯電話機へ適切な拒絶原因を提供する。さらに、ＭＭＥが加入者についての加入ＡＰＮのリストを受信する場合、加入者の携帯電話機が加入ＡＰＮのリストに含まれていないＡＰＮを経由した任意の既存のＰＤＮ接続を有するか否かを判定する。そして、有する場合、ＭＭＥは、加入ＡＰＮのリストに含まれていないＡＰＮを経由して提供されるべきパケットデータサービスを無効化し、携帯電話機へ適切な拒絶原因を示す。
【００１６】
さらに、ＯＤＢの技術的な実現の詳細は、3GPP TS 23.015標準のバージョン11.1.0に記述され、参照によりここに組み込まれる。
【００１７】
要約すれば、ＯＤＢが実施されている間のパケットデータ接続の確立は、それぞれ、ＥＭＭ又はＥＳＭシグナリングのいずれかを用いて、移動上の理由（例えば、ローミング中）、又は、セッション関連の理由（例えば、要求されたサービス又はゲートウェイ）のいずれかのために、ネットワーク（すなわち、ＭＭＥ）により拒絶されてもよい。
【先行技術文献】
【非特許文献】
【００１８】
【非特許文献１】3GPP TS 23.402 standards document
【非特許文献２】3GPP TS 23.401 standards document
【非特許文献３】3GPP TS 23.015 standards document
【発明の概要】
【発明が解決しようとする課題】
【００１９】
しかしながら、ＰＤＮサービスがＥＭＭレベルで（例えば、ローミング中に）拒絶される場合、この場合、ネットワーク全体がパケットデータサービスについて禁止されるとみなされるため、携帯電話機は、現在の訪問先ネットワーク（例えば、ＶＰＬＭＮ）に滞在する間に、任意のＡＰＮへのアクセスを許可されない。それ故、携帯電話機が、ホームネットワーク（ＨＰＬＭＮ）内の任意のＡＰＮと接続すること、又は、ローミングユーザに関する訪問先ネットワークにより提供される任意のＡＰＮと接続することができない。
【００２０】
他方で、要求されたＰＤＮサービスがＥＳＭレベルでネットワークにより拒絶される場合、携帯電話機は、サービス、ベアラ、ＡＰＮ、又は、おそらく全てのＥＰＳサービスがネットワークにより規制されているか否かを判定できない。それ故、携帯電話機は、携帯電話機とネットワークエンティティの間で不必要かつ過度なシグナリングをもたらす拒絶されたＰＤＮサービス（及び／又は、他のサービス）を確立するために、最も高い確実性で再試行するだろう。
【００２１】
それに伴い、本発明の好適な実施形態は、上記課題を克服する又は少なくとも部分的に緩和する方法及び装置を提供する。
【００２２】
当業者にとって理解の効率性のため、本発明は、３ＧＰＰシステム（ＵＭＴＳ、ＬＴＥ）との関連で詳細に説明されるが、本発明の原理は、携帯電話機又はユーザ機器が例えば、インターネットのようなパケットデータネットワークにコアネットワークを介してアクセスする他のシステムに適用することができる。
【課題を解決するための手段】
【００２３】
第１の態様において、本発明は、コアネットワーク及び少なくとも１つの通信装置を備える通信システムに使用するためのネットワークノードであって、少なくとも１つのゲートウェイを識別し、前記通信装置が少なくとも１つの前記識別されたゲートウェイを使用することを規制されることを示す制御情報であって、前記コアネットワークを用いた、前記少なくとも１つの前記通信装置のパケットデータサービスへのアクセスを制御するための制御情報を生成する手段と、前記生成された制御情報を通信する手段を含む前記少なくとも１つの通信装置と通信する手段と、を備える前記ネットワークノードを提供する。
【００２４】
前記ネットワークノードは、通信事業者決定による規制（operator determined barring）が前記通信装置に対して実施されていたか否かを示す加入者データ（契約データ）（subscription data）をホーム加入者サーバから取得する手段をさらに備える。
【００２５】
前記加入者データは、前記通信装置に対して許可されたゲートウェイのリストを含むとよい。前記加入者データは、前記通信装置に対して規制されたゲートウェイのリストを含めてもよい。
【００２６】
前記少なくとも１つのの通信装置と通信する前記通信する手段は、Non-Access Stratum (NAS)シグナリングプロトコルに応じてフォーマットされた少なくとも１つのメッセージを送信するとよい。前記メッセージは、少なくとも１つの‘PDN Connectivity Reject’メッセージ、‘Deactivate EPS Bearer Context Request’メッセージ、‘Attach Reject’メッセージ、‘TAU Reject’メッセージ、‘Service Reject’メッセージ、及び、‘Detach Request’メッセージを備えるとよい。
【００２７】
前記ゲートウェイを識別する前記制御情報は、前記ゲートウェイに対するアクセスポイント名「APN」及び／又は規制状態情報を含むとよい。前記制御情報は、「ＡＰＮ非許可（APN not allowed）」、「ＯＤＢによるＡＰＮ非許可（APN not allowed due to ODB）」、又は、「通信事業者決定による規制（Operator Determined Barring）」拒絶原因を備えるとよい。
【００２８】
前記コアネットワークは、モビリティ管理エンティティ（Mobility Management Entity （ＭＭＥ））又はサービングGPRSサポートノード（serving GPRS support node （SGSN））エンティティを備えるとよい。
【００２９】
前記ネットワークノードは、パケットデータサービスに関連する前記少なくとも１つの通信装置による通信を監視する手段をさらに備えてもよい。この場合、前記生成する手段は、前記制御情報を生成することができ、前記通信する手段は、前記監視する手段が前記少なくとも１つの識別されたゲートウェイを用いたパケットデータサービスに関連する前記少なくとも１つの通信装置による通信の試行を示したときに、前記制御情報を前記少なくとも１つの通信装置へ通信することができる。
【００３０】
前記通信の試行は、前記少なくとも１つの識別されたゲートウェイを用いた新しいパケットデータサービスへの要求を備え、前記制御データは、前記通信の試行の拒絶を含むとよい。あるいは、前記通信の試行は、前記識別されたゲートウェイを用いた既存のパケットデータサービスに関連する通信を含み、前記制御データは、前記少なくとも１つの識別されたゲートウェイを用いた前記既存のパケットデータサービスの終了を含むとよい。前記ネットワークノードは、前記識別されたゲートウェイを制御していることをネットワークノードに、前記既存のパケットデータサービスを終了するように指示する手段をさらに備えるとよい。
【００３１】
第２の態様において、本発明は、コアネットワーク及び通信装置を備える通信システムに使用するための通信装置であって、前記コアネットワークに配置されるゲートウェイを用いてパケットデータサービスへアクセスする手段と、前記少なくとも１つのゲートウェイを識別し、前記通信装置が前記少なくとも１つの識別されたゲートウェイを使用することから規制されることを示す制御情報を、コアネットワークエンティティから、受信する手段と、他のゲートウェイを用いてパケットデータサービスにアクセスする試みが許可される間に、前記アクセスする手段が前記少なくとも１つの識別されたゲートウェイを用いたパケットデータサービスにアクセスする試みが妨げられるように、前記パケットデータサービスにアクセスする手段を、前記受信した制御情報に基づき、設定する手段と、を備える通信装置を提供する。
【００３２】
前記制御情報は、前記コアネットワークに配置されるゲートウェイを用いたパケットデータサービスを設定するために、前記コアネットワークエンティティへの要求を送信する前記アクセスする手段に応じて受信されるとよい。前記制御情報は、前記パケットデータサービスを設定するための前記要求が前記コアネットワークエンティティにより拒絶される場合に、受信されるとよい。あるいは、前記制御情報は、前記パケットデータサービスを設定するための前記要求が前記コアネットワークエンティティにより許可される場合に、受信されるとよい。
【００３３】
前記コアネットワークは、ホームネットワーク部及び訪問先ネットワーク部を備えてよく、前記少なくとも１つの識別されたゲートウェイは、前記訪問先ネットワーク部内に提供されてよい。少なくとも１つの他のゲートウェイは、前記ホームネットワーク部内に提供されてもよい。
【００３４】
前記通信装置は、前記ゲートウェイを識別し、前記コアネットワークエンティティへ、前記制御情報を提供する手段をさらに備えるとよい。前記制御情報は、アクセスポイント名‘APN’を備える前記少なくとも１つのゲートウェイを識別するとよい。前記制御情報は、前記少なくとも１つのゲートウェイに関する規制状態情報をさらに備えるとよい。前記APNのリストは、規制ゲートウェイを含めてよい。前記APNのリストは、許可ゲートウェイを含めてよい。前記制御情報受信手段は、Non-Access Stratum (NAS)シグナリングプロトコルに応じてフォーマットされた少なくとも１つのメッセージ内の前記制御情報を受信するとよい。前記少なくとも１つのメッセージは、少なくとも１つの‘PDN Connectivity Reject’メッセージ、‘Deactivate EPS Bearer Context Request’メッセージ、‘Attach Reject’メッセージ、‘TAU Reject’メッセージ、‘Service Reject’メッセージ、及び、‘Detach Request’メッセージを備えるとよい。前記制御情報は、「ＡＰＮ非許可（APN not allowed）」、「ＯＤＢによるＡＰＮ非許可（APN not allowed due to ODB）」、又は、「通信事業者決定による規制（Operator Determined Barring）」拒絶原因を備えるとよい。
【００３５】
前記通信装置は、evolved UMTS terrestrial radio access network ‘E-UTRAN’標準、General Packet Radio Service ‘GPRS’標準、又は、wideband code division multiple access ‘W-CDMA’標準のいずれか１つに応じて動作する移動通信装置であるとよい。前記コアネットワークは、モビリティ管理エンティティ（Mobility Management Entity （ＭＭＥ））、又は、サービングGPRSサポートノード（serving GPRS support node （SGSN））エンティティを備える。
【００３６】
前記通信装置は、不揮発性メモリ内の前記受信した制御情報、例えば、universal subscriber identity module ‘USIM’を格納する手段をさらに備えてもよい。
【００３７】
他の態様において、本発明は、コアネットワーク及び少なくとも１つの通信装置を備える通信システムに使用するためのネットワークノードであって、少なくとも１つのゲートウェイを識別し、前記通信装置が少なくとも１つの前記識別されたゲートウェイを使用することを規制されることを示す制御情報であって、前記コアネットワークを用いた、少なくとも１つの前記通信装置のパケットデータサービスへのアクセスを制御するための制御情報を生成し、前記生成された制御情報を前記少なくとも１つの通信装置へ通信するコントローラを備えるネットワークノードも提供する。
【００３８】
さらに別の態様において、本発明は、通信システムのコアネットワークに配置されたゲートウェイを用いたパケットデータサービスにアクセスするための通信装置であって、少なくとも１つのゲートウェイを識別し、前記通信装置が前記少なくとも１つの識別されるゲートウェイを使用することから規制されることを示す制御情報を、コアネットワークエンティティから、受信し、他のゲートウェイを用いてパケットデータサービスにアクセスする試みが許可される間に、前記通信装置が前記少なくとも１つの識別されたゲートウェイを用いたパケットデータサービスにアクセスする試みが妨げられるように、前記パケットデータサービスへのアクセスを設定するコントローラを備える通信装置も提供する。
【００３９】
本発明は、加入したゲートウェイのリスト、及び、通信事業者決定による規制が実施されている少なくとも１つの加入したゲートウェイ‘APN’を識別する情報を備えるホーム加入者サーバも提供する。
【００４０】
本発明は、上述したネットワークノード、上述した通信装置、少なくとも１つのゲートウェイ（APN）、及び、上述したホーム加入者サーバを備える通信システムも提供する。
【００４１】
本発明は、コアネットワーク及び少なくとも１つの通信装置を備える通信システム内のネットワークノードにより実行される方法であって、少なくとも１つのゲートウェイを識別し、前記通信装置が少なくとも１つの前記識別されたゲートウェイを使用することを規制されることを示す制御情報であって、前記コアネットワークを用いた、前記少なくとも１つの前記通信装置のパケットデータサービスへのアクセスを制御するための制御情報を生成し、前記生成された制御情報を通信することを含む前記少なくとも１つの通信装置と通信する方法も提供する。
【００４２】
本発明は、通信システムのコアネットワークに配置されるゲートウェイを用いたパケットデータサービスにアクセスする通信装置により実行される方法であって、少なくとも１つのゲートウェイを識別し、前記通信装置が前記少なくとも１つの識別されたゲートウェイを用いることから規制されることを示す制御情報を、コアネットワークエンティティから、受信し、他のゲートウェイを用いてパケットデータサービスにアクセスする試みが許可される間に、前記通信装置が前記少なくとも１つの識別されたゲートウェイを用いたパケットデータサービスにアクセスする試みが妨げられるように、前記パケットデータサービスへのアクセスを設定する方法も提供する。
【００４３】
本発明は、全ての開示された方法について、対応するユーザ装置又はネットワーク通信装置における実行のための、対応するコンピュータプログラム、又は、コンピュータプログラム製品も提供する。
【発明の効果】
【００４４】
本発明によれば、上記問題を克服又は少なくとも部分的に軽減する方法及び装置を提供することを実現できる。
【図面の簡単な説明】
【００４５】
本発明の実施形態は、一例として、添付図面を参照して説明される。
【図１】図１は、本発明の実施形態に適用されるセルラ通信システムを概略的に示す。
【図２】図２は、本発明の実施形態に適用される別のセルラ通信システムを概略的に示す。
【図３】図３は、図１及び図２に示されるシステムの一部を形成する携帯電話機のブロック図である。
【図４】図４は、図１及び図２に示されるシステムの一部を形成するモビリティ管理エンティティ（Mobility Management Entity （ＭＭＥ））のブロック図である。
【図５】図５は、図１及び図２に示されるシステムの一部を形成するホーム加入者サーバ（home subscriber server (HSS)）のブロック図である。
【図６】図６は、図１及び図２に示されるシステムの一部を形成し、ＭＭＥが携帯電話機に対するＰＤＮアクセスを制御する手順を示すシグナリング図である。
【図７】図７は、図１及び図２に示されるシステムの一部を形成し、ＭＭＥが携帯電話機に対するＰＤＮアクセスを制御する別の手順を示すシグナリング図である。
【図８】図８は、図７に示される手順におけるバリエーションを示すシグナリング図である。
【図９】図９は、図１及び図２に示されるシステムの一部を形成し、ＭＭＥが携帯電話機に対するＰＤＮアクセスを制御する別の手順を示すシグナリング図である。
【図１０】図１０は、図６に示される手順におけるバリエーションを示すシグナリング図である。
【発明を実施するための形態】
【００４６】
（概観）
図１は、携帯電話機３のユーザがE-UTRAN無線アクセス技術（radio access technology (RAT)）を用いてE-UTRAN基地局５及びコアネットワーク７を介してお互いに、及び、他のユーザと通信することができる通信システム１を概略的に示す。当業者には理解されるように、１つの携帯電話機３及び１つの基地局５が説明のために図１に示され、システムは、実装される場合、一般的には、他の基地局及び携帯電話機を含む。
【００４７】
良く知られるように、携帯電話機３が通信システム１によりカバーされる地理的領域内を転々としているため、携帯電話機３は基地局５により取り扱われる（served）領域（すなわち、無線セル６）に出入りできる。携帯電話機３の追跡を維持し、異なる基地局５の間の移動を促進するために、コアネットワーク７は、コアネットワーク７に接続される基地局５と通信しているモビリティ管理エンティティ（Mobility Management Entity （ＭＭＥ））９を含む。
【００４８】
基地局５は、3GPP TS 36.413標準に規定される“S1-MME”としても知られる“S1-AP”インタフェースを介してＭＭＥ９と接続される。ＭＭＥ９は、いわゆる“S6a”インタフェースを介してホーム加入者サーバ（home subscriber server (HSS)）１５とも接続される。ＨＳＳ１５は、各携帯電話機３について、（例えば、設定及び優先権（preferences）のような）加入者データ（subscription data）、並びに、携帯電話機３に関連付けられるコアネットワーク７及びパケットデータサービスにアクセスする権限（authorizations）を保存する。ＨＳＳ１５は、携帯端末３のための加入ＡＰＮ（subscribed APNs）のリストを保持する。加入ＡＰＮリスト内の各ＡＰＮは、特定のＡＰＮが通信事業者により規制されるか否かを示す属性（ＯＤＢ状態(ODB status)）を有することができる。ＨＳＳ１５に保存されるデータ（ＡＰＮ状態ごとに任意のＯＤＢを含む）は、必要な場合、（非表示の）運用及び維持エンティティにより更新される。ＨＳＳ１５は、加入ＡＰＮのリスト、及び、それらの個別のＯＤＢ状態を有し（又は代わりに、ＨＳＳ１５は規制されない加入ＡＰＮのリスト、すなわち、ＯＤＢが現在、実施されていないＡＰＮのリストを有し）、（ユーザコンテクストとしても知られる）更新加入者データ（契約データ）（subscriber data）を、携帯電話機３とコアネットワーク７の間の接続を管理するためにそれ（加入データ）を使用するＭＭＥ９へ（例えば、定期的に、及び／又は、変化の際、及び／又は、要求の際に）提供する。ＨＳＳ１５は、このようにして、明示的又は暗示的に全ＡＰＮのＯＤＢ状態をＭＭＥ９へ示す。ゲートウェイは、規制ＡＰＮのリストに含まれる場合、及び／又は、有効な「通信事業者決定による規制」を示すＯＤＢ状態インジケータを有する場合、及び／又は、許可／加入ＡＰＮのリストから除外される場合に、規制されるとみなされる。
【００４９】
携帯電話機３と基地局５は、エアインタフェース（air interface）、いわゆる“Uu”インタフェースを介して接続され、基地局５とサービングゲートウェイ（serving gateway (S-GW)）１６は、“S1-U”インタフェースを介して接続される。コアネットワーク７から、例えばインターネットのような外部ＩＰネットワーク１３への接続は、ＳＧＷ１６にリンクされる１以上のパケットデータネットワークゲートウェイ（packet data network gateways (P-GWs)）１７−１及び１７−２を介して提供される。ＭＭＥ９は、携帯電話機３及び対応するP-GW(s)１７の間のEPSベアラを管理するためにS-GW１６とも接続される。P-GW１７−１及び１７−２は独立したエンティティとして示されるが、論理的エンティティとして実施され、単独の物理的ユニットの一部であることは言うまでもない。その上、S-GW１６並びにP-GW１７−１及び１７−２の機能は、単独のゲートウェイ要素内でも実施され得る。
【００５０】
携帯電話機３はＭＭＥ９により取り扱われる領域内で電源が入れられる（又は登録される）時はいつでも、ＮＡＳシグナリングを用いて現在位置（すなわち、現在の領域）について通知する。携帯電話機３は、現在の基地局５を介して到達できるように、コアネットワーク７に適切なＥＰＳベアラを設定する。１以上のゲートウェイ／アクセスポイントを介してパケットデータサービスにアクセスするために、携帯電話機３は、ＭＭＥ９とＰＤＮ接続手順も開始し、アクセスを必要とするＡＰＮを提供できる。この段階で、携帯電話機３は、任意又は全てのパケットデータサービスについて実施される「通信事業者決定による規制」に気付かない場合がある。
【００５１】
しかしながら、携帯電話機３を取り扱うＭＭＥ９は、ＨＳＳ１５からこの携帯電話機３についての加入ＡＰＮの最新のリストを取得し、保存する。それ故、ＭＭＥ９は、携帯電話機３が接続を試みる任意のＡＰＮが、この携帯電話機について加入ＡＰＮのリスト内に含まれないことを見つける場合、この携帯電話機３によるそのようなＡＰＮへの接続の確立を拒絶する。それを行なうために、ＭＭＥ９は、適切なＰＤＮ接続応答、すなわち、特別に策定された（formulated）ＥＭＭ／ＥＳＭメッセージを送信し、このメッセージ内に適切な拒絶原因も含める。同様に、この携帯電話機３がそのような非加入ＡＰＮと任意の既存の接続を有する場合、ＭＭＥ９は、適切なＰＤＮ接続拒絶メッセージを送信することによりこの接続を終了し、そのメッセージ内に拒絶原因を含める。その拒絶原因は携帯電話機３に拒絶の理由を知らせるので、この携帯電話機３のユーザに（拒絶の理由を）知らせるために適当なメッセージを表示することができ、それによって、携帯電話機３のこのＡＰＮへの接続の試行を回避することができる。これは有効な効果である。
【００５２】
より具体的に、この実施形態では、ＭＭＥ９により携帯電話３へ送信されるメッセージは、ＥＳＭ／ＥＭＭシグナリングを使用し、少なくとも携帯電話機３がスイッチを切られるまで、又は、加入者識別モジュール（subscriber identity module）（ＳＩＭカード／ＵＳＩＭ）が削除され／交換されるまで、同じＡＰＮに接続を再試行すべきでないことを、携帯電話機３へ通知する、‘Operator Determined Barring’又は‘APN not allowed due to ODB’又は‘APN not allowed’拒絶原因を含む。このことは、携帯電話機３がこのＡＰＮに関してさらなるＰＤＮ接続要求を送信することを防ぐという利点を与えるだろう。
【００５３】
この例の変形では、規制ＡＰＮとのＰＤＮ接続が拒絶／終了する場合、ＭＭＥ９は、許可及び／又は規制ＡＰＮのリストを携帯電話機３へ送信する。ＭＭＥ９は、適切な拒絶原因の代わりに又は追加して、許可及び／又は規制ＡＰＮのそのようなリストを送信できる。このことは、ＡＰＮがこの加入者によりまだ使用され得る携帯電話機３を示す間、携帯電話機３が全ての規制ＡＰＮに関してさらなるＰＤＮ接続要求を送信することを防ぐという利点を与えるだろう。
【００５４】
上記の例は、携帯電話機３と規制ＡＰＮの接続を繰り返し試行することが原因で、エアーインタフェースと、携帯電話機３及びＭＭＥ９の間との両方のシステムリソースの無駄な使用を妨げることの利益がある。
【００５５】
図２は、本発明の実施形態に適用される別のセルラ通信システム１を概略的に示す。この場合では、携帯電話機３はＶＰＬＭＮ内で現在、ローミングしている。（このユーザについての）コアネットワーク機能性は、（ＭＭＥ９、Ｓ−ＧＷ１６及び少なくとも１つのＰ−ＧＷ１７−１を含む）訪問先ネットワーク７−Ｖと、（ＨＳＳ１５及び少なくとも１つの追加のＰ−ＧＷ１７−２を含む）ホームネットワーク７−Ｈとの間で共有される。この場合では、これらのエンティティ間で採用される標準化されたインタフェース（すなわち、Uu, S1-AP, S6a等）に起因して、前述したネットワークエンティティのいくつかが配置され、異なるプロバイダにより運用されるにもかかわらず、本発明の実施形態は、携帯電話機の現在のネットワーク（すなわち、訪問先又はホームや、ローミングか否か）に関係なく、そして、任意のネットワークエンティティの通信事業者に関係なく、適用され得る。
【００５６】
（携帯電話機）
図３は、図１及び図２に示される携帯電話機３の主要コンポーネントを示すブロック図である。示されているように、携帯電話機３は、１以上のアンテナ３３を経由して基地局５へ信号を送信し、基地局５からの信号を受信する送受信回路３１を有する。携帯電話機３は、携帯電話機３の動作を制御するコントローラ３７を有する。コントローラ３７は、メモリ３９に関連付けられ、送受信回路３１と接続される。必ずしも図３に示されるわけではないが、携帯電話機３は、当然、従来型の携帯電話機３（例えば、ユーザインタフェース３５）の通常の機能の全てを有し、適宜、ハードウェア、ソフトウェア及びファームウェアの任意の一つ又は任意の組合せにより提供され得る。ソフトウェアは、メモリ３９にプレインストールされ、及び／又は、例えば、通信システム又は例えばリムーバブルデータストレージデバイス（removable data storage device (RMD)）からダウンロードされ得る。
【００５７】
コントローラ３７は、この例では、メモリ３９に格納されたプログラム命令又はソフトウェア命令により、携帯電話機３の全体の動作を制御する構成をとる。図３に示されるように、これらのソフトウェア命令群は、特に、オペレーティングシステム４１、通信制御モジュール４３、APN設定モジュール４５、パケットデータサービスモジュール４７、及び、non-access stratum (NAS)モジュール４９を含む。
【００５８】
通信制御モジュール４３は、携帯電話機３と基地局５の間の通信を制御できる。通信制御モジュール４３は、基地局５へ送信されるアップリンクデータ及び制御データの分離フローも制御する。
【００５９】
APN設定モジュール４５は、携帯電話機３により使用されるパケットデータサービスのための適切なゲートウェイを設定できる。「通信事業者決定による規制」が特定のAPNに関して実施されている場合、APN設定モジュール４５は、そのアクセスポイント名により特定されるゲートウェイへの接続試行を妨げることができる。
【００６０】
パケットデータサービスモジュール４７は、パケットデータサービスを管理し、APN設定モジュール４５により設定されるゲートウェイを介したユーザデータを通信できる。
【００６１】
non-access stratumモジュール４９は、レイヤ３シグナリングを用いてコアネットワーク７（例えば、ＭＭＥ９）へ制御データを送信し、コアネットワーク７から制御データを受信できる。例えば、ＮＡＳモジュール４９は、ＰＤＮ接続（及び、必要に応じて、規制／加入ＡＰＮのリストも含む）についての拒絶原因を有するＭＭＥ９からＥＭＭ及び／又はＥＳＭシグナリングを受信できる。ＮＡＳモジュール４９は、さらに、この加入者（例えば、任意の規制ＡＰＮ）について実施される任意の「通信事業者決定による規制」上で、ＡＰＮ設定モジュール４５へ情報を提供できる。
【００６２】
（モビリティ管理エンティティ）
図４は、図１及び図２に示されるモビリティ管理エンティティ（Mobility Management Entity （ＭＭＥ））９の主要コンポーネントを示す機能的ブロック図である。図４に示すように、ＭＭＥ９は、基地局インタフェース８３を経由して基地局５、及び、ＨＳＳインタフェース８５を介してホーム加入者サーバ１５のそれぞれへ信号を送信し、基地局５及びホーム加入者サーバ１５のそれぞれから信号を受信することができる送受信回路８１を有する。送受信回路８１の動作は、メモリ８９に格納されたソフトウェアに従ってコントローラ８７により制御される。ソフトウェアは、特に、オペレーティングシステム９１、通信制御モジュール９３、APN許可モジュール９５、ＮＡＳモジュール９７及びＵＥ位置モジュール９９を含む。
【００６３】
通信制御モジュール９３は、ＭＭＥ９と他のエンティティとの間、例えば、（基地局５を経由して）ＨＳＳ１５と携帯電話機３の間の通信を制御できる。
【００６４】
ＡＰＮ許可モジュール９５は、このＭＭＥ９により取り扱われる携帯電話機３のためのゲートウェイの設定を（ＨＳＳ１５から）取得し、実施できる。例えば、ＡＰＮ許可モジュール９５は、規制されるとしてＨＳＳ１５により示されるゲートウェイ（例えば、規制ＡＰＮのリストを含み、及び／又は、「通信事業者決定による規制」を示すＯＤＢ状態インジケータを有し、及び／又は、許可／加入ＡＰＮのリストから除外されるゲートウェイ）を経由してパケットデータサービスに携帯電話機３がアクセスすることを妨げることができる。この趣旨で、ＡＰＮ許可モジュール９５は、携帯電話機３がアクセスしている（又はアクセスしようとしている）ＡＰＮに関して実施される「通信事業者決定による規制」について（ＮＡＳモジュール９７を経由して）携帯電話機３に通知することができる。
【００６５】
non-access stratum モジュール９７は、レイヤ３シグナリングを用いて携帯電話機３の対応するnon-access stratum モジュール４９へ制御データを送信し、non-access stratum モジュール４９から制御データを受信できる。例えば、ＮＡＳモジュール９７は、ＰＤＮ接続（及び、必要に応じて、規制／加入ＡＰＮのリストも含む）についての拒絶原因を有するＥＭＭ及び／又はＥＳＭシグナリングを送信できる。
【００６６】
ＵＥ位置モジュール９９は、このＭＭＥ９により取り扱われる携帯電話機３の現在位置の情報をＨＳＳ１５へ提供できる。ＵＥ位置モジュール９９は、携帯電話機３の現在位置についてのデフォルト設定データを取得し、適宜、他のモジュール（例えば、ＡＰＮ許可モジュール９５）へそのような取得された設定データ（例えば、デフォルトＡＰＮ）を提供することもできる。
【００６７】
（ホーム加入者サーバ）
図５は、図１及び図２に示されるホーム加入者サーバ（home subscriber server (HSS)）１５の主要コンポーネントを示す機能的ブロック図である。この図に示されるように、ホーム加入者サーバ１５は、他のネットワークエンティティ、例えば、ＭＭＥインタフェース１５３を経由したモビリティ管理エンティティ９、及び、ＯＡＭインタフェース１５５を経由した運用及び維持エンティティ（operation and maintenance entity）のそれぞれへ信号を送信し、他のネットワークエンティティから信号を受信することができる送受信回路１５１を有する。送受信回路１５１の動作は、メモリ１５９に格納されたソフトウェアに従ってコントローラ１５７により制御される。ソフトウェアは、特に、オペレーティングシステム１６１１、通信制御モジュール１６３、規制モジュール１６５（このＨＳＳ１５により取り扱われる各加入者のための加入ＡＰＮ１６７のリストを含む）、及び、運用及び維持（operation and maintenance (OAM)）モジュール１６９を含む。
【００６８】
通信制御モジュール１６３は、ＨＳＳ１５と他のエンティティ、例えば、ＭＭＥ９と運用及び維持エンティティ（operation and maintenance entity）の間の通信を制御することができる。
【００６９】
規制モジュール１６５は、アクセスポイント、サービス、ＩＰアドレス、電話番号等に関して現在実施される規制について各加入者における設定データを保持すること（及び、そのようなデータを他のエンティティ、例えばＭＭＥ９へ提供すること）ができる。特に、規制モジュール１６５は、ＨＳＳ１５により取り扱われる各加入者について現在の加入ＡＰＮ１６７のリストを保存する。
【００７０】
運用及び維持（operation and maintenance）モジュール１６９は、このＨＳＳ１５が取り扱う加入者についての更新設定データを取得するために、運用及び維持エンティティ（operation and maintenance entity）と通信することができる。例えば、運用及び維持（operation and maintenance）モジュール１６９は、各加入者についての現在及び／又はデフォルトの加入ＡＰＮ１６７のリストを取得し、適宜、規制モジュール１６５へこのリストを提供することができる。
【００７１】
上記の説明では、携帯電話機３、モビリティ管理エンティティ９、及びホーム加入者サーバ１５は、多数の個別のモジュール（例えば、通信制御モジュール及びnon-access stratumモジュール等）を有するように、それぞれの理解について説明される。これらのモジュールは、あるアプリケーション、例えば、本発明を実施するために修正された既存のシステム、についてこの方法で提供され得るが、他のアプリケーションにおいて、例えば、最初から念頭において本発明の特徴を備えて設計されるシステムにおいて、これらのモジュールは、全体のオペレーティングシステム又はコードに内蔵され、これらのモジュールは、個別のエンティティとして認識できない。これらのモジュールは、ソフトウェア、ハードウェア、ファームウェア又はこれらの組合せでも実施され得る。
【００７２】
（動作）
図６は、図１及び図２に示されるシステム１の一部を形成し、ＭＭＥ９が携帯電話機３に対するＰＤＮアクセスを制御する手順を示すシグナリング図である。
【００７３】
最初に、携帯電話機３は、例えば、携帯電話機３が任意の継続パケットデータ接続（on-going packet data connection）を有さないため、又は、そのような規制がこの加入者にとってまだ実施されていないために、任意の「通信事業者決定による規制」を認識しない。しかしながら、携帯電話機３は、ネットワークにすでに登録されている、及び／又は、他のサービス（例えば、回線交換の呼）を使用していてもよい。
【００７４】
ステップＳ５０１において、ＨＳＳ１５は、「通信事業者決定による規制」が‘APN-1’として識別されるゲートウェイ（又はサービス）について引き起こされていることを示す、加入者データ更新を（例えば、ＯＡＭモジュール１６９を用いて）取得する。ＨＳＳ１５は、更新された加入者データをそのメモリ１５９内に保存し、それに応じて、この加入者についての加入ＡＰＮ１６７のリストを更新する。例えば、ＨＳＳ１５は、規制ＡＰＮのリストにそれを含めることにより、及び／又は、実施された「通信事業者決定による規制」を示すためにそのＯＤＢ状態インジケータを変更することにより、及び／又は、許可／加入ＡＰＮの任意の過去のリストからそれを削除することにより規制されているとして、ゲートウェイにマークを付ける。ＯＤＢが実施される加入者は、この加入者を現在取り扱うＭＭＥ９に知られる適切な識別子（identifier）により識別され得る。
【００７５】
加入者データ更新に応じて、ＨＳＳ１５は、ＯＤＢがＡＰＮ−１について実施されていることを、この加入者を取り扱うＭＭＥ９に通知する。この効果として、ステップＳ５０３で、ＨＳＳ１５は、‘Insert Subscriber Data Request’メッセージを生成し、ＭＭＥ９へ送信し、規制されるゲートウェイ／アクセスポイントの名称、この例では、‘APN-1’をこのメッセージに含める。そのメッセージは、それが関係する加入者の識別情報（identification）をも含む。
【００７６】
‘Insert Subscriber Data Request’メッセージを受信した時、ＭＭＥ９は、受信メッセージで識別される加入者について規制されているとして、示された‘APN-1’を作成することによりＡＰＮ許可モジュール９５を更新する。そして、ステップＳ５０５では、ＭＭＥ９は、ＨＳＳ１５へ戻す‘Insert Subscriber Data Answer’メッセージを生成し、送信することにより、直前のメッセージの受信を確認する。
【００７７】
ステップＳ５０７では、更新されたＡＰＮ設定データを用いて、ＭＭＥ９は規制された‘APN-1’ゲートウェイを介してこの加入者のＰＤＮ接続について監視を開始する。このポイントで、‘APN-1’及び識別された加入者の携帯電話機３を含む継続パケットデータサービスが存在しないため、ＭＭＥ９は未だ、新ＯＤＢを実施する必要がない。
【００７８】
携帯電話機３のユーザがパケットデータサービスを使用することを決定する場合、ステップＳ５０９で示されるように、携帯電話機３のＰＤＮモジュール４７は、適切なＰＤＮサービスアプリケーションをロードし、開始する。これに応じて、ＰＤＮモジュール４７は、コアネットワーク７との適切なＰＤＮ接続を設定するためにＮＡＳモジュール４９に指示する。それ故、ＮＡＳモジュール４９は、ステップＳ５１１において、適切なＮＳＡメッセージを生成し、（図６に示されないが、基地局５を経由して）ＭＭＥ９の対応するＮＡＳモジュール９７へ送信する。この例では、携帯電話機３は未だ、コアネットワーク７に登録されていないため、Ｓ５１１で送信されるメッセージは、‘ESM information transfer’フラグを有する‘PDN Connectivity Request’を含む‘Attach Request’メッセージである。このフラグは、（ＮＡＳセキュリティ手順が完了した時点で）携帯電話機３がＥＳＭ情報（ＡＰＮ等）をＭＭＥ９へ送信する必要があることをＭＭＥ９にを示す。
【００７９】
それ故、‘ESM information transfer’フラグを有するＮＡＳメッセージを受信した時、ＭＭＥ９は、ステップＳ５１３で、この携帯電話機３について認証（authentication）及びＮＡＳセキュリティ設定手順を開始する。これらの手順もＨＳＳ１５を必要とする。携帯電話機３は、それがＭＭＥ９へ送信するＥＳＭ情報を有することを示したため、ＮＡＳモジュール９７は、ステップＳ５１５において、‘ESM Information Request’メッセージを生成し、携帯電話機３へ送信する。携帯電話機３のＮＡＳモジュール４９は、ＡＰＮ設定モジュール４５から要求されたＡＰＮ設定データを取得し、Ｓ５１７において、‘ESM Information Response’メッセージを生成し、ＭＭＥ９へ送信する。また、ＮＡＳモジュール４９は、依頼されたＰＤＮサービス、すなわち、この例では‘APN-1’についての要求されたゲートウェイの識別情報をこのメッセージ内に含める。
【００８０】
ＭＭＥ９のＮＡＳモジュール９７は、受信したゲートウェイ識別情報（すなわち、‘APN-1’）をＡＰＮ許可モジュール９５へ転送する。ステップＳ５１９では、この識別情報及びＨＳＳ１５から直前に受信した加入者データを用いて、ＡＰＮ許可モジュール９５は、要求された‘APN-1’がこの携帯電話機３を現在操作する加入者に対して現在規制されることを判定する。それ故、ＮＡＳモジュール９７にＳ５１１で受信した要求を拒絶すること及びＯＤＢが実施されていることについて携帯電話機３に通知するように指示する。
【００８１】
ＮＡＳモジュール９７は、Ｓ５２３では、 ‘Attach Reject’メッセージを生成し、（対応するＮＡＳモジュール４９により受信されるために）携帯電話機３へ送信し、適切な拒絶原因、すなわち、‘APN not allowed due to ODB’をこのメッセージに含める。ＮＡＳモジュール９７は、例えば、ＥＳＭ（例えば、‘Attach Reject’メッセージに含まれる‘PDN Connectivity Reject’メッセージ内の拒絶原因）又はＥＭＭシグナリング（例えば、‘Attach Reject’メッセージ内の直接的な拒絶原因）のいずれかを使用できる。必要に応じて、ＮＡＳモジュール９７は、‘Attach Reject’メッセージ内（又は、後続のメッセージ内、又は、‘PDN Connectivity Reject’メッセージ内）に、規制及び／又は許可（すなわち、現在加入された）ＡＰＮのリストを、そのようなリストがＭＭＥ９で利用可能である場合に、含める。
【００８２】
Ｓ５２３で送信される‘Attach Reject’メッセージは、携帯電話機３に規制‘APN-1’を介したＰＤＮ接続を確立する任意の後続の試行が妨げられるように、ＡＰＮ設定モジュール４５を再設定させることの利点がある。望ましくは、携帯電話機３は、少なくともＵＳＩＭが交換される、及び／又は、携帯電話機３がスイッチを切られ、入れられ、及び／又は、ＭＭＥ９からの追加の通信が、ＯＤＢがこの加入者／ゲートウェイについて無効にしていたことを携帯電話機３に通知するまで、そのような規制ゲートウェイを介して任意のＰＤＮサービスを要求することが試行できない。
【００８３】
最後に、ステップＳ５２５では、携帯電話機３は、別の、非規制ゲートウェイ、例えば、‘APN-2’を介して直前に要求されたＰＤＮサービスの確立を再試行できる。非規制ゲートウェイにおける情報は、メモリ３９に保存され、又は、Ｓ５２３でＭＭＥ９から取得される。
【００８４】
図７は、図１に示されるシステム１の一部を形成し、ＭＭＥ９が携帯電話機３に対するＰＤＮアクセスを制御する別の手順を示すシグナリング図である。
【００８５】
この例では、携帯電話機３は、すでに、‘APN-1’として知られるゲートウェイを介して有効なＰＤＮ接続を有している（ステップＳ６００）。
【００８６】
ステップＳ６０１では、ＨＳＳ１５は、「通信事業者決定による規制」がゲートウェイ‘APN-1’、 すなわち、携帯電話機３により現在使用されるものについて実施されていることを示す（例えば、そのＯＡＭモジュール１６９を用いて）加入者データ更新を取得する。
【００８７】
加入者データ更新に応じて、ＨＳＳ１５は、ＯＤＢがＡＰＮ−１に対して実施されていることを、この加入者を取り扱うＭＭＥ９に通知する。この効果として、ステップＳ６０３で、ＨＳＳ１５は、‘Insert Subscriber Data Request’メッセージを生成し、ＭＭＥ９へ送信し、規制されるゲートウェイ／アクセスポイントの名称、すなわち、‘APN-1’をこのメッセージに含める。
【００８８】
‘Insert Subscriber Data Request’メッセージを受信した時、ＭＭＥ９は、受信メッセージで識別される加入者について規制されているとして、示された‘APN-1’を作成することによりＡＰＮ許可モジュール９５を更新する。そして、ステップＳ６０５では、ＭＭＥ９は、ＨＳＳ１５へ戻す‘Insert Subscriber Data Answer’メッセージを生成し、送信することにより、直前のメッセージの受信を確認する。
【００８９】
ステップＳ６０７では、更新されたＡＰＮ設定データを用いて、ＭＭＥ９は規制された‘APN-1’ゲートウェイを介してこの加入者のＰＤＮ接続について監視を開始する。ステップＳ６１９では、ＭＭＥ９（例えば、そのＡＰＮ許可モジュール９５）は、‘APN-1’及び携帯電話機３を含む継続パケットデータサービスが存在することを判定し、ＭＭＥ９は、この携帯電話機３について新ＯＤＢを実施することを開始する。
【００９０】
それ故、ＮＡＳモジュール９７は、Ｓ６２３では、 ‘Detach Request’メッセージを生成し、（対応するＮＡＳモジュール４９により受信されるために）携帯電話機３へ送信し、適切な拒絶原因、すなわち、‘APN not allowed due to ODB’をこのメッセージに含める。必要に応じて、ＮＡＳモジュール９７は、‘Detach Request’メッセージ内（又は、後続のメッセージ内）に、規制及び／又は許可（すなわち、現在加入された）ＡＰＮのリストを、そのようなリストがＭＭＥ９で利用可能である場合に、含める。
【００９１】
ステップＳ６２４において、携帯電話機３は、‘Detach Accept’メッセージを用いて応答し、ステップＳ６３０において、規制された‘APN-1’を介して任意の継続パケットデータサービスを終了する。
【００９２】
前の例のように、Ｓ６２３で送信される‘Detach Request’メッセージは、規制‘APN-1’を介したＰＤＮ接続を確立する任意の後続の試行が妨げられるように、携帯電話機３にＡＰＮ設定モジュール４５を再設定させることの利点がある。望ましくは、携帯電話機３は、少なくともＵＳＩＭが交換される、及び／又は、携帯電話機３がスイッチを切られ、入れられ、及び／又は、ＭＭＥ９からの追加の通信が、ＯＤＢがこの加入者／ゲートウェイについて無効にしていたことを携帯電話機３に通知するまで、そのような規制ゲートウェイを介して任意のＰＤＮサービスを要求することが試行できない。携帯電話機３は、同じサービスを提供でき、規制されない任意の他のＡＰＮが存在する場合を考慮してもよい。存在する場合、携帯電話機３は、他のＡＰＮを用いて、過去のサービスを確立する要求を送信してもよい。
【００９３】
図８は、図７に示される手順におけるバリエーションを示すシグナリング図である。しかしながら、この例では、携帯電話機３は、最初に、‘APN-1’及び‘APN-2’の両方を介して有効なＰＤＮ接続を有する。図８は、携帯電話機３とＰＤＮゲートウェイ１７−２（すなわち、‘APN-2’）の間の接続を管理するサービングゲートウェイ１６も示す。
【００９４】
図７を参照して説明した例と同様に、ステップＳ７０１では、ＨＳＳ１５が携帯電話機３のユーザについての加入者データ更新を取得する場合に、処理を開始する。しかしながら、この例では、‘APN-1’よりむしろ「通信事業者決定による規制」に起因して規制される‘APN-2’がある。
【００９５】
それにもかかわらず、ステップＳ７０３及びＳ７０５では、更新ＯＤＢ情報は、前述した‘Insert Subscriber Data Request’及び‘Insert Subscriber Data Answer’メッセージを用いてＭＭＥ９へ提供される。この場合、‘Insert Subscriber Data Request’は、規制されるゲートウェイ／アクセスポイントの名称、すなわち、‘APN-2’を含む。
【００９６】
次に、ステップＳ７０７では、ＭＭＥ９は規制された‘APN-2’ゲートウェイを介してこの加入者のＰＤＮ接続について監視を開始し、ステップＳ７１９では、ＡＰＮ許可モジュール９５は、規制された‘APN-2’ゲートウェイ及び携帯電話機３を含む継続パケットデータサービスが存在することを判定する。
【００９７】
しかしながら、この携帯電話機３は、前の例のように、Detach Request’を生成して送信する代わりに、非規制ゲートウェイを介した別の有効なＰＤＮ接続も有するので、ＭＭＥ９は、規制ＰＤＮ接続のみ（すなわち、ゲートウェイ‘APN-2’を介した有効なＰＤＮ接続）の終了を開始する。
【００９８】
それ故、ＭＭＥ９は、‘APN-2’として知られるP-GW 17-2を制御するS-GW 16と、‘APN-2’を介してＰＤＮサービスを用いる携帯電話機３の両方へ通知する。
【００９９】
最初に、Ｓ７２０では、ＮＡＳモジュール９７は、‘Delete Session Request’メッセージを生成し、S-GW 16へ送信し、このメッセージが関係するP-GW 17-2（すなわち‘APN-2’）を識別する情報をこのメッセ０時に含める。ステップＳ７２１では、順番に、S-GW 16 は、P-GW 17-2での接続の終了を開始し、‘Delete Session Response’メッセージを生成して送信することにより、ＭＭＥ９とこのことを確認する。
【０１００】
Ｓ７２３では、また、ＮＡＳモジュール９７は、‘Deactivate Bearer Request’メッセージを生成し、（対応するＮＡＳモジュール４９により受信されるために）携帯電話機３へ送信し、ゲートウェイの識別情報、及び／又は、そのゲートウェイを介してルーティングされるベアラと共に、適切な拒絶原因、すなわち、‘APN not allowed due to ODB’をこのメッセージに含める。
【０１０１】
ステップＳ７２４では、携帯電話機３は、‘Deactivate Bearer Response’メッセージを用いて応答し、ステップＳ７３０では、規制‘APN-2’を介して継続パケットデータサービスを終了する。
【０１０２】
前の例のように、Ｓ７２３での‘Deactivate Bearer Request’メッセージは、例えば‘APN-1’のような他の非規制ゲートウェイを介して有効なＰＤＣ接続を未だ維持するが、規制‘APN-2’を介したＰＤＮ接続を確立する任意の後続の試行が妨げられるように、そのＡＰＮ設定モジュール４５を携帯電話機３に再設定させることの利点がある。
【０１０３】
図９は、図１及び図２に示されるシステム１の一部を形成し、ＭＭＥ９が携帯電話機３に対するＰＤＮアクセスを制御する別の手順を示すシグナリング図である。この例では、「通信事業者決定による規制」は、携帯電話機３がまだ接続されていないゲートウェイに対してＨＳＳ内で実施される。
【０１０４】
この例における携帯電話機３は、ステップＳ８００で一般に示されるように、‘APN-1’として識別されるゲートウェイを介して有効なＰＤＮ接続を有する。上記のように、ＯＤＢは、ステップＳ８０１で加入者データ更新の間に、特定のゲートウェイ、ここでは‘APN-2’に対してＨＳＳ１５内で実施される。ステップＳ８０３及びＳ８０５で示されるように、ＨＳＳ１５は、規制‘APN-2’ゲートウェイを介したこの携帯電話機３によるＰＤＮ接続の監視を（Ｓ８０７で）ＭＭＥ９に開始させる、携帯電話機３を操作する加入者についての実施されたＯＤＢ機能についてＭＭＥ９へ通知する。
【０１０５】
それ故、ステップＳ８１１で携帯電話機３が後続の‘PDN Connectivity Request’をこの‘APN-2’ゲートウェイへ送信する場合、ステップＳ８１９で、ＭＭＥ９は、要求されたアクセスポイントがこの加入者について規制されることを判定する。
【０１０６】
前の例と同様に、Ｓ８２３で、ＭＭＥ９が規制‘APN-2’への携帯電話機３の接続試行を拒絶する場合、適切な拒絶原因、すなわち、‘APN not allowed due to ODB’、 必要に応じて、現在の加入／規制ＡＰＮのリストを送信された‘PDN Connectivity Reject’メッセージ内に含める。
【０１０７】
前の例のように、Ｓ８２３でのメッセージは、例えば‘APN-1’のような他の非規制ゲートウェイを介して有効なＰＤＣ接続を未だ維持するが、規制‘APN-2’を介したＰＤＮ接続を確立する任意の後続の試行が妨げられるように、そのＡＰＮ設定モジュール４５を携帯電話機３に再設定させることの利点がある。
【０１０８】
図１０は、図６に示される手順におけるバリエーションを示すシグナリング図である。図１０のステップＳ９０１からＳ９１３は、一般的に、図６のステップＳ５０１からＳ５１３にそれぞれ対応し、そのため、詳細には説明されない。
【０１０９】
しかしながら、この例では、携帯電話機３は、ステップＳ９１１で送信する‘Attach Request’メッセージの範囲内で、（‘PDN Connectivity Request’内の）‘ESM information transfer’フラグを含めない。それ故、（すなわち、図６のステップＳ５１５及びＳ５１７に示されるように）携帯電話機３それ自身から要求されたＡＰＮを取得する代わりに、ステップＳ９１５に示されるように、ＭＭＥ９は、（そのＵＥ位置モジュール９９を用いて）‘Update Location Request’メッセージを生成し、ＨＳＳ１５へ送信する。このメッセージに応じて、ステップＳ９１７で、ＨＳＳ１５は、‘Update Location Response’メッセージ内に、この携帯電話機３についてのデフォルトＡＰＮの名称を戻す。この例では、この携帯電話機３についてのデフォルトＡＰＮは、以前の規制‘APN-1’として同じである。
【０１１０】
それ故、このメッセージを受信した後、ＭＭＥ９（すなわち、そのＡＰＮ許可モジュール９５）は、ステップＳ９１９で、デフォルトアクセスポイント(‘APN-1’)がこの加入者について規制されることを判定する。Ｓ９２３で、ＭＭＥ９が、規制‘APN-1’を使用する携帯電話機３の試行を拒絶する場合、適切な拒絶原因、すなわち、‘APN not allowed due to ODB’、必要に応じて、現在の加入／規制ＡＰＮのリストを、送信された‘Attach Reject’メッセージ内（又は、‘Attach Reject’メッセージに含まれる‘PDN Connectivity Reject’メッセージ内）に含める。
【０１１１】
後に、ステップＳ９２５では、携帯電話機３は、当然、例えば‘APN-2’のような別の非規制ゲートウェイを用いてネットワークへの接続を試みる。
【０１１２】
（変更形態及び代替形態）
詳細な実施形態が上述された。当業者に明らかなように、上述の実施形態に対し、いくつかの変更形態及び代替形態を作ることができ、その中で具現化される発明から利益を得ることができる。例示のために、これらの代替形態及び変更形態のいくつかについてのみ説明する。
【０１１３】
上述の実施形態では、コアネットワークがパケットデータ接続試行を拒絶すること、又は、継続パケットデータ接続を終了することの原因について携帯電話機にどのように通知するかを示して、様々な例が説明される。すでに述べたように、いわゆる‘APN not allowed due to ODB’拒絶原因は、ESMレベル又はEMMレベルのいずれかで使用され得る。しかしながら、他の拒絶原因は、例えば、‘APN not allowed’又は既存の「通信事業者決定による規制」拒絶原因を用いても良いことは言うまでもない。この場合、受信した拒絶原因及び‘list of allowed APNs’又は‘list of barred APNs’に基づいて、携帯電話機は、失敗したAPNへ再接続を試みるべきか否か、又は、代わりに別のAPNを使用するべきか否か（又は、全APNがこの加入者について規制される場合にはいずれでもない）を解決できる。
【０１１４】
ＬＴＥの場合、拒絶原因は、ＥＳＭレベルシグナリング、例えば、‘PDN CONNECTIVITY REJECT’メッセージ、‘DEACTIVATE EPS BEARER CONTEXT REQUEST’メッセージ等の少なくとも１つを用いて、携帯電話機へ送信されてもよい。あるいは、拒絶原因は、ＥＭＭレベルシグナリング、例えば、 ‘ATTACH REJECT’メッセージ、‘TRACKING AREA UPDATE (TAU) REJECT’メッセージ、‘SERVICE REJECT’メッセージ、及び、‘DETACH REQUEST’メッセージの少なくとも１つを用いて携帯電話機へ送信されてもよい。
【０１１５】
しかしながら、上記実施形態は、２Ｇ／３Ｇプロトコルを用いて通信する携帯電話機にも適用可能であることは言うまでもない。この場合、拒絶原因は、‘ATTACH REJECT’メッセージ、‘ROUTING AREA UPDATE (RAU) REJECT’メッセージ、‘SERVICE REJECT’メッセージ及び‘DETACH REQUEST’メッセージの少なくとも１つを用いて、接書ｋン管理（Session Management (SM)）レベル、又は、GPRS モビリティ管理（GPRS Mobility Management (GMM)）レベルの何れかにおいて、携帯電話機へ送信されてもよい。
【０１１６】
上記実施形態では、許可ＡＰＮのリストまたは規制ＡＰＮのリストは、（ＨＳＳから受信した加入者特定データに基づき）ＭＭＥにより携帯電話機へ提供されてもよい。しかしながら、両方のリストは、同じＥＭＭ／ＥＳＭメッセージ又は別個のシグナリングメッセージにおて提供されてもよいことは言うまでもない。さらに、ＭＭＥにより送信される許可及び／又は規制ＡＰＮのリストは、例えば、シグナリングメッセージのサイズ制限が使用されることに起因して、特定の加入者についての全ての許可／規制ＡＰＮの部分集合のみを備えてもよいことは言うまでもない。
【０１１７】
上記実施形態では、許可／規制ＡＰＮのリストは、（図５，６，７，８及び９のそれぞれのステップＳ５２３、Ｓ６２３、Ｓ７２３、Ｓ８２３及びＳ９２３で示されるように）規制ＡＰＮを含むパケットデータ接続の拒絶／終了の場合に携帯電話機に提供される。しかしながら、たとえ携帯電話機のＰＤＮ接続要求（PDN connectivity request）（又はattach request）がネットワークにより受理されたとしても、これらのリストのいずれか１つが携帯電話機へ提供されてもよいことは言うまでもない。この場合、ＭＭＥは、適宜、‘PDN Connectivity Accept’メッセージ又は‘Attach Accept’メッセージ内にリストを含めても良い。これは、携帯電話機が規制ＡＰＮを使用するための以後の全ての要求を送信することを防ぐという利点を与えるだろう。
【０１１８】
さらに、携帯電話機は、後で使用するために、受信した許可／規制ＡＰＮリストをそのメモリ内に保存し、及び／又は、それに応じて、ＵＳＩＭに保存された加入者のＡＰＮ制御リストを更新してもよい。
【０１１９】
携帯電話機は、ＭＭＥにより接続拒絶／終了の場合に、例えば、携帯電話機の画面に通知を表示することにより、及び／又は、ＡＰＮが規制される場合に可聴式の警告により、ユーザに警告するように構成されてもよい。
【０１２０】
上記例の変更として、ＭＭＥは、上述した方法を適用する前に、（例えば、ネットワークにおいて携帯電話機の登録中に提供される‘UE capability’情報により示されるような）携帯電話機の能力を考慮してもよい。それ故、ＭＭＥは、提案された拒絶原因、及び／又は、許可／規制ＡＰＮのリストのみを、この機能をサポートするそれらの携帯電話機へ送信するように構成されてもよい。このことは、ＭＭＥがそのような情報を理解しないであろう過去のＵＥへ情報を送信することを防ぐという利点を与えるだろう。
【０１２１】
上記例は、ＬＴＥアクセスを考慮して説明されるが、例えば、GPRS及びW-CDMAのような他のアクセス技術も同様に適用可能である。GPRS及びW-CDMA アクセスの場合、Serving GPRS Support Node (SGSN)は、ＭＭＥの代わりに使用され、Gateway GPRS Support Node (GGSN)は、P-GWの代わりに使用されることは言うまでもない。
【０１２２】
上記実施形態では、セルラー電話機である携帯電話機を用いて実現される。しかしながら、上記実施形態は、例えば、携帯情報端末（personal digital assistants）、ラップトップコンピュータ、ウェブブラウザ等のような携帯電話機以外のデバイスを用いて実現され得ることは言うまでもない。
【０１２３】
上述の実施形態において、多数のソフトウェアモジュールが説明された。当業者に明らかなように、ソフトウェアモジュールは、コンパイルされるかコンパイルされない形式で提供されてもよく、コンピュータネットワーク、又は、記録媒体を介した信号として、ＨＳＳ、モビリティ管理エンティティ、基地局、又は、携帯電話機に供給されてもよい。さらに、このソフトウェアの一部又は全体により実行される機能は、１以上の専用のハードウェア回路を用いて実行されてもよい。しかしながら、ソフトウェアモジュールの使用は、それらの機能を更新するために、ＨＳＳ１５、モビリティ管理エンティティ９、基地局５、及び、携帯電話機３の更新を促進することが好まれる。
【０１２４】
ここではさらに詳細には説明しないが、当業者には種々の他の変形が明らかであろう。
【０１２５】
本ソフトウェアは、様々なタイプの非一時的なコンピュータ可読媒体（non-transitory computer readable media）を用いて格納され、コンピュータに供給することができる。非一時的なコンピュータ可読媒体は、様々なタイプの実体のある記録媒体（tangible storage media）を含む。  本プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ(Read Only Memory)、ＣＤ−Ｒ（compact disc recordable）、ＣＤ−Ｒ／Ｗ（compact disc rewritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable media）によってコンピュータに供給されてもよい。一時的なコンピュータ可読媒体の例は、電気信号、光信号、及び電磁波を含む。一時的なコンピュータ可読媒体は、（電線及び光ファイバ等の）有線通信路、又は無線通信路を介して、プログラムをコンピュータに供給するために使用され得る。
【０１２６】
本出願は、２０１３年１月２１日に出願された英国特許出願第１３０１０４２．６号からの優先権の利益を主張し、該特許出願の開示は参照によりその全体が本明細書に援用される。
【符号の説明】
【０１２７】
１  通信システム
３  携帯電話機（ＵＥ）
５  E-UTRAN基地局 (eNB)
６  無線セル
７  コアネットワーク
７−Ｖ  訪問先ネットワーク
７−Ｈ  ホームネットワーク
９  モビリティ管理エンティティ（Mobility Management Entity （ＭＭＥ））
１３  外部ＩＰネットワーク
１５  ホーム加入者サーバ（HSS）
１６  サービングゲートウェイ (S-GW)
１７−１  パケットデータネットワークゲートウェイ（P-GW）
１７−２  パケットデータネットワークゲートウェイ（P-GW）
３１  送受信回路
３３  アンテナ
３５  ユーザインタフェース
３７  コントローラ
３９  メモリ
４１  オペレーティングシステム
４３  通信制御モジュール
４５  APN設定モジュール
４７  パケットデータサービスモジュール
４９  NASモジュール
８１  送受信回路
８３  基地局インタフェース
８５  HSSインタフェース
８７  コントローラ
８９  メモリ
９１  オペレーティングシステム
９３  通信制御モジュール
９５  APN許可モジュール
９７  NASモジュール
９９  UE位置モジュール
１５１  送受信回路
１５３  MMEインタフェース
１５５  OAMインタフェース
１５７  コントローラ
１５９  メモリ
１６１  オペレーティングシステム
１６３  通信制御モジュール
１６５  規制モジュール
１６７  加入APN
１６９  OAMモジュール
【図１】
0006274217.tif 000002
【図２】
0006274217.tif 000003
【図３】
0006274217.tif 000004
【図４】
0006274217.tif 000005
【図５】
0006274217.tif 000006
【図６】
0006274217.tif 000007
【図７】
0006274217.tif 000008
【図８】
0006274217.tif 000009
【図９】
0006274217.tif 000010
【図１０】
0006274217.tif 000011